(57)【要約】　　　（修正有）【課題】手作業のブリスター梱包方法において、ブリスターに対する台紙の着脱を簡単にしかもブリスター側の折り返し辺を損傷することなく行うことができる開閉具を提供する。【解決手段】開閉具１０は、板状本体の一部に開閉具１０を持つための挟持部１と折り返し辺２２に掛けるための溝３を形成し、さらに溝３にはブリスターの折り返し辺と係合するためのリブ形状の係合部５を形成する。更に、溝３は少なくともブリスターの折り返し辺の奥行きより深い深さに設定する。開閉具１０は、係合部５をブリスターの折り返し辺に係合させ、約９０°回転することにより折り返し辺を開き、この状態で台紙の挿入又は取り外しを行う。【選択図】　　図３
0003097160.tif 000002
【実用新案登録請求の範囲】
【請求項１】
ブリスターの裏面に形成した凹部に製品を収納した後、このブリスターの裏面に当接させて製品を押える台紙を、その周縁で前記ブリスターの周縁に形成した折り返し辺にて押え、一体化するブリスター梱包に際して用いられるブリスター折り返し辺の開閉具であって、この開閉具は、板状本体の一部に挟持部を形成すると共にこの狭持部の前方に前記折り返し辺に掛けるための溝を形成し、さらに前記溝にはブリスターの前記折り返し辺と係合するためのリブ形状の係合部を形成し、更に前記溝は少なくともブリスターの折り返し辺の奥行きより深い深さに設定されていることを特徴とするブリスター折り返し辺用の開閉具。
【請求項２】
請求項１に記載の溝には、係合部の両端から挟持部へ延びる側壁が形成されていることを特徴とするブリスター折り返し辺用の開閉具。
【請求項３】
請求項１に記載の開閉具は、ポリエキシメチレン樹脂からなることを特徴とするブリスター折り返し辺用の開閉具。
【考案の詳細な説明】
【０００１】
【考案の属する技術分野】
本考案は、スライド式のブリスターパックに関し、特に工場作業員が手作業で台紙の挿脱を確実・美麗・短時間で行うことが出来るスライド式ブリスターに用いる折り返し辺用の開閉具に関するものである。
【０００２】
【従来の技術】
従来から、商品の包装を簡素化したり、また陳列のし易さ等から、商品を包装する場合ブリスター梱包が用いられてきた。ブリスター梱包の構成は、物品を収納する凹部を形成した樹脂製のブリスター本体と、台紙とによって構成されている。
ブリスターパックを用いて商品を包装する方法として、特開平１０−１２９７２１号公報に掲載されているように、ブリスター本体の凹部の中に商品を収納してブリスター本体と台紙とをホチキス留めすることによって簡単に包装が出来る。一方、他の包装方法としては、ブリスターの折り返し辺を台紙の裏側へ折り返して台紙を挟み込むことにより一体化して包装する方法もある。
【０００３】
前記記載の包装方法において、ブリスターと台紙をホチキスでとめる方法は、ブリスター梱包材を廃棄する場合ブリスター、台紙、ホチキス針を分別しなければならず、特にホチキスの針をブリスター、台紙から取りはずす時指にキズを付ける危険があるなど容易なことではない。従って、ブリスターの裏面側に折り曲げて形成した折り返し辺に台紙を挟み込んで一体化する梱包方法が近年主流となってきている。
代表的な構成を示す図１（ａ）（ｂ）を基にブリスター梱包材を説明すると、この梱包材は、ブリスター２１と台紙３１からなり、ブリスター２１の四辺には、裏側に折り曲げて形成した上部折り返し辺２２、両側折り返し辺２３、下部折り返し辺２４が形成されている。なお、以降の説明文においては上部折り返し辺２２を「折り返し辺２２」と称する。
【０００４】
【考案が解決しようとする課題】
このような構成のブリスター梱包材において、その折り返し辺２２を手作業で開いて台紙を挟み込む方法には次のような欠点がある。
▲１▼　ブリスター２１の折り返し辺２２を開いて台紙３１を挟み込む時、折り返し辺２２が硬いため台紙３１を無理に挟み込む場合がある。そのため台紙３１にシワが生じたり、破損したりするため、製品としては見栄えがよくない。
▲２▼　ブリスター２１への台紙３１を挟み込む際に、前記の理由によりブリスター２１へキズ、汚れが発生する場合がある。また、折り返し辺２２が開きすぎた場合、修正のためドライヤー等で加熱して再形成する必要がある。
▲３▼　手作業で行う場合、ブリスター２２と台紙３１の間に指を挟んでしまうことがあり、指先を怪我してしまう危険性がある。
本考案は、以上の欠点を解決するために考案されたものであり、その目的は、手作業で台紙の挿脱を確実・美麗・短時間・安全に行うことができるブリスター用折り返し辺の開閉具を提供することにある。
【０００５】
【課題を解決するための手段】
上記目的を達成するため、請求項１に記載の考案においては、ブリスター折り返し辺用の開閉具において、ブリスターの裏面に形成した凹部に製品を収納した後、このブリスターの裏面に当接させて製品を押える台紙を、その周縁で前記ブリスターの周縁に形成した折り返し辺にて押え、一体化するブリスター梱包に際して用いられるブリスター折り返し辺の開閉具であって、この開閉具は、板状本体の一部に挟持部を形成すると共にこの狭持部の前方に前記折り返し辺に掛けるための溝を形成し、さらに前記溝にはブリスターの前記折り返し辺と係合するためのリブ形状の係合部を形成し、更に、前記溝は少なくともブリスターの折り返し辺の奥行きより深い深さに設定されていることを特徴とするものである。
【０００６】
更に、請求項２に記載の考案においては、請求項１に記載の溝には、係合部の両端から挟持部へ延びる側壁が形成されていることを特徴とするものである。
【０００７】
更に、請求項３に記載の考案においては、請求項１に記載の開閉具は、ポリエキシメチレン樹脂からなることを特徴とするものである。
【０００８】
【作用】
請求項１に記載のブリスター折り返し辺用の開閉具においては、折り返し辺を台紙からはずす時、また掛ける時、折り返し辺内に開閉具の係合部を挿入した後、開閉具を開方向に回転させることにより、係合部の天面を支点として「テコの原理」によりわずかな力で折り返しを約９０°開くことが出来る。従って、ブリスター及び台紙へ余分な力がかからず、ブリスター及び台紙へのキズ、シワ、汚れ等を防ぐことができる。また、開閉具に形成された溝の深さが、ブリスターの折り返し辺の奥行きより深い溝であるため、折り返し辺全面で開閉具の係合部と係合する。その結果、力が折り返し辺へ均一にかかるので、折り返し辺の白化を防ぐことが出来る。
【０００９】
更に、請求項２に記載のブリスター折り返し辺用の開閉具においては、係合部の両端から挟持部へ延びる側壁を設けたため、係合部の長さを折り返し辺の長さに合わせておくことにより、側壁がブリスター折り返し辺用の開閉具の位置決め効果をもたらす。
更に、請求項３に記載のブリスター折り返し辺用の開閉具においては、開閉具の材料がポリエキシメチレン樹脂であるので滑らかな面を形成でき、より、ブリスターと台紙にキズ、シワをつけにくい効果を得ることが出来る。
【００１０】
【考案の実施の形態】
本考案のブリスター用折り返し辺の開閉具については、まず、ブリスター用折り返し辺の開閉具をブリスターの折り返し辺と台紙の間に係合させ、折り返し辺が台紙からはずれる様に係合部の天面を支点として開閉具を約９０度程回転させる。回転させた時、折り返し辺が開閉具からはずれないように浮き上がった折り返し辺を親指で押さえる。
次に折り返し辺が開くことにより台紙からはずれるので、台紙をブリスター開閉具の裏面に沿わせながら引き出し、ブリスターの凹部に製品を入れる。製品を入れ終えたら台紙をブリスターへスライドさせて戻し、ブリスターの上部折り返し辺を開閉具で再度開いて台紙を収納し、ブリスターの梱包が完成する。
以下、各図に基づいて本考案のブリスター用折り返し辺の開閉具の実施例を更に詳しく説明する。
【００１１】
【実施例１】
まず、請求項１に記載の考案に係る開閉具について、図２を用いて説明する。図２（ａ）は実施例１の開閉具１０’における正面図、図２（ｂ）は側面図である。
実施例１の開閉具１０’は、その本体は平板状を呈し、作業する時手で持つ部分の挟持部１’と、この狭持部１´の前方にブリスターの折り返し辺２２の中へ係合する、または折り返し辺２２と台紙３１との間に係合する係合部５’及び溝３’とを有する。係合部５’の天面４’は丸みを持たせることにより折り返し辺の内側にキズをつけることを防ぐことが出来る。本実施例では天面４´に半径１ｍｍの曲面を設けた。
【００１２】
また、溝３’の深さは折り返し辺２２の奥行き以上の深さであるため折り返し辺２２全面を収納できる。深さが足りないと折り返し辺２２におけるはみ出し部に力がかかり、白化する恐れがある。
本実施例では挟持部１’の肉厚を一段薄くしているが、この形状は必要形状ではなく、場合によっては他の所と同一肉厚でもよく自由に選択できる。更に開閉具の材料として摩擦係数の小さいポリエキシメチレン樹脂（例えばポリプラスチックス株式会社製ジュラコン）を用いるとブリスター及び台紙へのすり傷防止の効果が得られる。
【００１３】
【実施例２】
次に請求項２に記載の考案に係る開閉具について、図３を用いて説明する。図３（ａ）は請求項２による実施例の開閉具１０における正面図、図３（ｂ）は側面図である。
実施例２の開閉具１０について説明すると、その本体は平板状を呈し、作業する時手で持つ部分の挟持部１と、ブリスター２１の折り返し辺２２の中へ係合する、またはブリスター２１の折り返し辺２２と台紙３１との間に係合する係合部５及び溝３とを有し、溝３の深さは折り返し辺２２を収納できる深さを持つ。
さらに、係合部５の両側から挟持部１方向へ向かう側壁２を備えることにより、折り返し辺２２との位置決めが可能になり、作業中に開閉具１０が折り返し辺２２からはずれることを防ぐことが出来る。また、係合部５と挟持部１を側壁２で接合することにより開閉具１０の屈折及び衝撃耐久力向上を図ることが出来る。
【００１４】
【作用】
本発明の開閉具を用いた時の作用について説明する。なお、ここでは、実施例２で説明した構造の開閉具１０を使用した。先ず、製品をブリスター２１に入れる前段階で、ブリスター２１から台紙３１を分離する場合を、図４及び図５（ａ）、図５（ｂ）、図５（ｃ）をもとに説明する。図４は実施例２で説明した開閉具１０の斜視図、図５（ａ）はブリスター２１の折り返し辺２２と台紙３１との間に開閉具の係合部５をかけた説明図であり、図５（ｂ）はブリスター２１の折り返し辺２２を開閉具１０で開き、台紙３１を挿入した説明図である。そして図５（ｃ）は、ブリスター２１の折り返し辺２２を台紙３１の裏面に掛けた説明図である。
【００１５】
最初にブリスター２１の凹部に製品を入れ、台紙をブリスター２１の両側に形成された側部折り返し辺２３（図１参照）をガイドとしてブリスター２１へスライドさせて嵌め込む。
次にブリスター２１の上部に形成された折り返し辺２２を開閉具１０の係合部５と係合させ、折り返し辺２２を開いた状態にする。係合部５における溝３の幅は折り返し辺２２の幅に合わせてあり、また、側壁２があるので、滑ってはずれたりすることはない。折り返し辺２２を開いた状態を保持しながら台紙３１をブリスター２１側に押して、折り返し辺２２の下に嵌るようにする。
【００１６】
ブリスター２１の折り返し辺２２を親指で押さえながら開閉具１０を係合部５の天面４を支点としてＢ方向に回転させる。溝３の深さは折り返し辺２２全体を収納できる深さがあるので、開閉具１０を回転した場合、折り返し辺２２の一部のみに荷重がかからず全体で力を受けることが出来る。従って、折り返し辺２２を白化させたりキズをつけることを防ぐことが出来る。
開閉具１０の折り返し辺２２を台紙３１の裏面に掛け、開閉具１０を取りはずすことによりブリスター２１と台紙３１が一体になったブリスターパックを得ることが出来た。その結果、ブリスター２１や台紙３１をキズつけることなく、容易にブリスター梱包を行えた。
【００１７】
次に、製品をブリスター２１に入れる前段階で、ブリスター２１と台紙３１とが組まれている場合について説明する。図６（ａ）はブリスター２１の折り返し辺２２の裏に開閉具１０の係合部５を挿入し、折り返し辺２２を開く前の説明図である。図６（ｂ）はブリスター２１の折り返し辺２２を開閉具１０にて開いた説明図であり、図６（ｃ）はブリスター２１の折り返し辺２２を開いた説明図である。
【００１８】
図６（ａ）に示す様にブリスター２１の折り返し辺２２に開閉具１０を入れ、折り返し辺２２に係合部５を係合させる。次に、開閉具１０を係合部５の天面４を支点に台紙３１を変形させずに引き出せる程度まで矢印Ａ方向へ回転させ、図６（ｂ）に示すように折り返し辺２２を広げる。次に図６（ｃ）の様に台紙３１を折り返し辺２２から引き出す。更に開閉具１０を折り返し辺２２に挿入したままでブリスター２１の凹部に製品を入れることが可能になるまで台紙３１を引き上げる。ブリスター２１の凹部に製品を入れた後台紙３１を下げて図６（ｃ）に示す位置へ戻す。
【００１９】
次に図６（ｂ）に示すように、台紙３１をブリスター２１に挿入する。折り返し辺２２が開閉具１０からはずれないように浮き上がった折り返し辺２２を親指で押さえる。
その後矢印Ｂ方向へ開閉具１０を回転して図６（ａ）の様に、ブリスター２１の上部に形成された折り返し辺２２を台紙３１の裏側面へ掛ける。その後、開閉具１０を折り返し辺２２から取りはずすことによりブリスター２１と台紙３１が一体になったブリスターパックを得ることが出来る。その結果、ブリスター２１や台紙３１をキズつけることなく、容易にブリスター梱包を行うことができる。
今までは手作業で２回折り返し辺２２の開閉作業があったが、開閉具１０を使用することで１回のみの作業で製品の梱包が済む。また、開閉具１０の係合部５にブリスター２１の折り返し辺２２がかかるので、力が一部分に加わらず、折り返し辺２２の白化を防ぐことが出来る。更に開閉具１０はポリエキシメチレン製で角も取り丸くしており、ブリスター２１と台紙３１にキズ、シワをつけにくい。
【００２０】
【比較例】
比較例として従来行ってきたように、ブリスター嵌合方法を開閉具を使わずに手作業で行った。図７（ａ）に示すように、ブリスター２１の折り返し辺２２を手で開かなくてはならず、両手で折り返し辺２２を開いても、台紙３１を引き出すために片方の手は折り返し辺２２から離さなければならない。その結果折り返し辺２２を開いている力に偏りが出るため、折り返し辺２２を誤って曲げ、白化させてしまう場合があった。
また、折り返し辺２２に台紙３１を引っ掛けたり、または台紙３１を曲げたりして台紙３１にキズ、シワがついてしまう場合があった。
【００２１】
図７（ｂ）は台紙３１を引き出した時の右側面図である。図７（ｂ）に示すように台紙３１を引き出した時、折り返し辺２２の幅の分だけ台紙３１が反ってしまうので、シワが生じやすい。
また、台紙３１を出し入れする際折り返し辺２２に台紙３１の印刷部分が引っ掛かってしまうので、キズをつける原因となった。
以上説明した様に、実施例１，２で説明した開閉具１０を用いた実施例３，４にて記載のブリスター２１の嵌合方法では、ブリスター２１の折り返し辺２２に余分な力が加わらないのでブリスター２１の白化を防ぎ、台紙３１にキズ、シワ、汚れ等を発生させることなく作業を行うことが出来る。
【００２２】
【考案の効果】
以上説明したように、ブリスター用折り返し辺の開閉具において折り返し辺の開閉具を滑り易さ、加工性に優れ、その上材料をポリエキシメチレンにしたことにより、ブリスター及び台紙へのキズ、シワ、汚れ等を防ぐことができる。また、テコの原理を用いることにより必要以上の力が折り返し辺にかからない。また、力が折り返し辺の折れている部分にかかったとしても、一部分に力が集中しないようにして、折り返し辺の折れている部分の白化を防ぐことが出来る。更に開閉具にブリスターの折り返し辺を引っ掛けたまま、台紙を引き、製品を入れ、再び台紙を戻し、折り返し辺を戻すことにより、折り返し辺を変形させずに折り込みが可能である。更に指先を用いて折り返し辺を開く必要がないので怪我等の心配がなく、安全である。
【図面の簡単な説明】
【図１】代表的なブリスターの斜視図（ａ）。台紙の斜視図（ｂ）。
【図２】本考案における実施例１の開閉具正面図（ａ）。本考案における実施例１の開閉具右側面図（ｂ）。
【図３】本考案における実施例２の開閉具の正面図（ａ）。本考案における実施例２の開閉具の右側面図（ｂ）。
【図４】本考案における実施例２開閉具の斜視図。
【図５】実施例３において、（ａ）は折り返し辺と台紙の間に開閉具をかけた説明図、（ｂ）は折り返し辺を開閉具により開き、台紙を挿入した説明図。（ｃ）は折り返し辺を台紙の裏面に掛けた説明図。
【図６】実施例４において、（ａ）は折り返し辺と台紙の間に開閉具をかけた時と、後に開閉具の位置を戻した説明図、（ｂ）は開閉具により折り返し辺を広げた説明図、（ｃ）は台紙を折り返し辺から取り出す又は折り返し辺へ挿入する説明図。
【図７】比較例において、（ａ）は折り返し辺に台紙が挿入されている説明図、（ｂ）は折り返し辺から台紙を引き出した説明図。
【符号の説明】
１、１’　　挟持部
２　　　　　　　側壁
３、３’　　溝
４、４’　　天面
５、５’　　係合部
６　　　　背面部
２１　　　ブリスター
２２　　　上部折り返し辺
２３　　　側部折り返し辺
２４　　　下部折り返し辺
３１　　　台紙
【図１】
0003097160.tif 000003
【図２】
0003097160.tif 000004
【図３】
0003097160.tif 000005
【図４】
0003097160.tif 000006
【図５】
0003097160.tif 000007
【図６】
0003097160.tif 000008
【図７】
0003097160.tif 000009